(57)【要約】【課題】シート構造体を容易に着脱可能な安全柵を提供する。【解決手段】安全柵１は、柔軟性を有し変形可能なネット３と、ネット３に対して、所定の方向に離れて複数配置された取付板４とを有するシート構造体５を備える。安全柵１は、シート構造体５を支持し、所定の方向に延在する支持フレーム７を備える。安全柵１は、支持フレーム７に取付部材４をそれぞれ着脱可能に接続する締結具12を備える。【選択図】図１
2019214901.tif 000002
【特許請求の範囲】
【請求項１】
変形可能なシート部材と、このシート部材に対して、所定の方向に離れて複数配置された取付部材とを有するシート構造体と、
前記シート構造体を支持し、前記所定の方向に延在する支持フレームと、
前記支持フレームに前記取付部材をそれぞれ着脱可能に接続する接続部材と
を備えたことを特徴とする安全柵。
【請求項２】
シート構造体は、隣り合う取付部材の間に、一方または両方の取付部材に対して間隔をおいてシート部材に配置された中間部材を有する
ことを特徴とする請求項１記載の安全柵。
【請求項３】
支持フレームは、所定の方向に対して交差する方向に互いに離れて対をなし、
シート構造体は、対をなす支持フレームそれぞれに対応する取付部材と中間部材とを有し、所定の方向に隣り合う取付部材と中間部材との間隔の位置でシート部材を所定の方向に対して交差する方向の回りに屈曲可能である
ことを特徴とする請求項２記載の安全柵。
【請求項４】
取付部材は、開口径が大きい大開口部と開口径が小さい小開口部とを所定の方向に連接して有する取付孔を備え、
接続部材は、支持フレームに設けられ、前記取付孔の前記大開口部に挿通可能で前記小開口部に係合される頭部を有する複数の締結具である
ことを特徴とする請求項２または３記載の安全柵。
【請求項５】
請求項１ないし４のいずれか一記載の安全柵に用いられる
ことを特徴とするシート構造体。
【請求項６】
変形可能なシート部材と、前記シート部材に対して所定の方向に互いに離れて複数配置された取付部材とを有するシート構造体を準備し、
支持フレームの延在する方向に沿って、前記取付部材をそれぞれが間隔を空けた状態に接続部材によって着脱可能に前記支持フレームに取り付ける
ことを特徴とするシート構造体の取付方法。
【発明の詳細な説明】
【技術分野】
【０００１】
本発明は、シート構造体を備える安全柵、安全柵に用いられるシート構造体、および、シート構造体の取付方法に関する。
【背景技術】
【０００２】
従来から、機械装置の周囲に設置される安全柵として、遮蔽手段として四角形状に形成したネットを、支柱に対して上下左右の複数箇所でＵ形ボルトによって固定するものが知られている（下記特許文献１）。機械装置の周囲に設置される安全柵では、機械装置のメンテナンス等のために少なくとも一部を開放して作業員が安全柵の内側に入る場合がある。また、機械装置のラインが長い場合、それに応じて安全柵も長く設置する必要がある。上記の安全柵において、作業員がネットを取り外しまたは取り付ける際には、対応するネットを支柱に保持するＵ形ボルトの全てを取り外しまたは取り付ける必要がある。
【先行技術文献】
【特許文献】
【０００３】
【特許文献１】特開２００７−１４５５８０号公報
【発明の概要】
【発明が解決しようとする課題】
【０００４】
上述したように、安全柵のネットは、必要に応じて着脱されることがあるため、容易にネットを着脱できる構成が求められている。
【０００５】
本発明は、このような点に鑑みなされたもので、シート構造体を容易に着脱可能な安全柵、安全柵に用いられるシート構造体、および、シート構造体の取付方法を提供することを目的とする。
【課題を解決するための手段】
【０００６】
請求項１記載の安全柵は、変形可能なシート部材と、このシート部材に対して、所定の方向に離れて複数配置された取付部材とを有するシート構造体と、前記シート構造体を支持し、前記所定の方向に延在する支持フレームと、前記支持フレームに前記取付部材をそれぞれ着脱可能に接続する接続部材とを備えたものである。
【０００７】
請求項２記載の安全柵は、請求項１記載の安全柵において、シート構造体は、隣り合う取付部材の間に、一方または両方の取付部材に対して間隔をおいてシート部材に配置された中間部材を有するものである。
【０００８】
請求項３記載の安全柵は、請求項２記載の安全柵において、支持フレームは、所定の方向に対して交差する方向に互いに離れて対をなし、シート構造体は、対をなす支持フレームそれぞれに対応する取付部材と中間部材とを有し、所定の方向に隣り合う取付部材と中間部材との間隔の位置でシート部材を所定の方向に対して交差する方向の回りに屈曲可能であるものである。
【０００９】
請求項４記載の安全柵は、請求項２または３記載の安全柵において、取付部材は、開口径が大きい大開口部と開口径が小さい小開口部とを所定の方向に連接して有する取付孔を備え、接続部材は、支持フレームに設けられ、前記取付孔の前記大開口部に挿通可能で前記小開口部に係合される頭部を有する複数の締結具であるものである。
【００１０】
請求項５記載のシート構造体は、請求項１ないし４のいずれか一記載の安全柵に用いられるものである。
【００１１】
請求項６記載のシート構造体の取付方法は、変形可能なシート部材と、前記シート部材に対して所定の方向に互いに離れて複数配置された取付部材とを有するシート構造体を準備し、支持フレームの延在する方向に沿って、前記取付部材をそれぞれが間隔を空けた状態に接続部材によって着脱可能に前記支持フレームに取り付けるものである。
【発明の効果】
【００１２】
本発明によれば、シート構造体を支持フレームに対して容易に着脱可能になる。
【図面の簡単な説明】
【００１３】
【図１】（ａ）は本発明の第１の実施の形態の安全柵の一部の正面図、（ｂ）は（ａ）のＩ−Ｉ断面図である。
【図２】（ａ）は同上安全柵の他の一部の正面図、（ｂ）は（ａ）のII−II断面図である。
【図３】同上安全柵の正面図である。
【図４】同上安全柵の側面図である。
【図５】（ａ）は同上安全柵の設置方法における取付部材のシート部材への取り付け状態を示す正面図、（ｂ）は（ａ）のIII−III断面図である。
【図６】同上安全柵の設置方法における中間部材のシート部材への取り付けを示す断面図である。
【図７】（ａ）は同上安全柵の取付部材の支持フレームからの取り外しを示す正面図、（ｂ）は同上安全柵においてシート部材の折り畳みを示す側面図である。
【図８】本発明の第２の実施の形態の安全柵の正面図である。
【図９】本発明の第３の実施の形態の安全柵の正面図である。
【図１０】本発明の第４の実施の形態の安全柵の正面図である。
【図１１】（ａ）は同上安全柵の図１０のIV-IV断面図、（ｂ）は図１０の取付部材の位置での断面図である。
【図１２】本発明の第５の実施の形態の安全柵の一部の正面図である。
【発明を実施するための形態】
【００１４】
以下、本発明の第１の実施の形態について図１ないし図７を参照して説明する。
【００１５】
図３および図４において、１は安全柵である。この安全柵１は、例えば搬送装置の周辺を囲む搬送装置用として、あるいは建設現場の防護用等として用いられる。そして、この安全柵１は、枠体２と、シート部材であるネット３と取付部材である取付板４とを有するシート構造体５とを備えている。なお、以下、安全柵１により防護される被防護物に対して反対側、つまり安全柵１の外側を前側（矢印Ｆ方向）、その反対側である安全柵１の内側を後側（矢印Ｒ方向）として説明する。
【００１６】
枠体２は、シート構造体５を保持する保持枠である。この枠体２は、安全柵１の専用のものでもよいし、例えば既設の安全柵から金網等を取り外したもの等でもよい。この枠体２は、第１の方向（矢印Ｘ方向）、本実施の形態では左右方向に対をなして配置される支持フレーム７を備えている。また、この枠体２は、対をなす支持フレーム７間を接続する接続フレーム８を備えている。さらに、この枠体２は、支持フレーム７の角度を維持し、転倒を防止するための補強フレーム９を備えている。これら支持フレーム７および接続フレーム８により、ネット３により覆われる開口部10が区画される。そして、支持フレーム７、接続フレーム８、および、補強フレーム９としては、ネット３よりも硬質の部材、例えばアルミニウム等の金属により形成された角材等が用いられる。
【００１７】
各支持フレーム７は、本実施の形態において、設置面FLに設置される縦フレームである。すなわち、支持フレーム７，７は、所定の幅で第１の方向である左右方向に離れて、この第１の方向に対して交差又は直交する所定の方向である第２の方向（矢印Ｙ方向）、本実施の形態では上下方向に沿って配置されている。また、各支持フレーム７には、本実施の形態において、設置面FLに枠体２を安定的に設置するための設置部であるスタンド体11が取り付けられている。スタンド体11は、各支持フレーム７の下端部に取り付けられる脚部である。また、スタンド体11は、側方から見てＬ字状に形成され、各支持フレーム７に対して後側に延びている。そして、スタンド体11は、設置面FLに対して固定される。さらに、各支持フレーム７には、ネット３を支持フレーム７に対して着脱するための接続部材である締結具12がそれぞれ取り付けられている。締結具12は、ネット３を支持フレーム７に対して着脱可能に取り付けるものである。締結具12としては、例えばボルトが用いられる。締結具12は、各支持フレーム７において、第１の方向と交差する第２の方向、本実施の形態では上下方向に離れて配置されている。また、締結具12は、軸部12aが支持フレーム７の前部のねじ穴に対して螺合され、頭部12bが支持フレーム７の前部に位置するように配置されている。さらに、締結具12は、本実施の形態において、支持フレーム７に沿って形成されたスリット13に配置され、支持フレーム７が延在する方向に沿って任意に位置を変えることができるようになっている。
【００１８】
接続フレーム８は、設置面FLに対して平行または略平行に設置される横フレームである。すなわち、この接続フレーム８は、第１の方向である左右方向に沿って配置されている。また、この接続フレーム８は、支持フレーム７，７の端部、本実施の形態では支持フレーム７，７の上端部間、および、下端部間を接続している。接続フレーム８、特に上端部の接続フレーム８には、例えばネット３が固定手段14により固定されていてもよい。固定手段14は、例えばインシュロック（登録商標）等の結束バンド、あるいは針金等の、手作業によりネット３の端部を接続フレーム８に固定するものが用いられる。この固定手段14は、ネット３とともに接続フレーム８に巻き付けられて、ネット３を接続フレーム８に固定している。また、固定手段14は、例えば第１の方向である左右方向に離れる複数の位置でネット３を接続フレーム８に固定していてもよい。
【００１９】
補強フレーム９は、設置面FLに設置される上下方向のフレームに取り付けられている。すなわち、本実施の形態において、補強フレーム９は、支持フレーム７にそれぞれ配置されている。補強フレーム９は、支持フレーム７の後部にて、支持フレーム７に対して傾斜して取り付けられている。具体的に、補強フレーム９は、例えば上端部側が支持フレーム７にブラケットを介して固定され、下端部側が支持フレーム７に対して後方に離れてスタンド体11にブラケットを介して固定されている。
【００２０】
ネット３は、被保護物を保護するものである。このネット３は、柔軟性を有し、変形可能となっている。本実施の形態のネット３は、例えば四角形状等の所定形状に切断されて用いられる。このネット３としては、例えば本実施の形態ではトリカルネット（登録商標）等の汎用のネットが用いられるが、その他、変形可能な、例えば布や紙等の任意のシート部材を用いてもよい。
【００２１】
取付板４は、締結具12を介してネット３を枠体２に取り付けるものである。取付板４は、ネット３よりも硬質の金属等の部材により板状に形成されている。取付板４は、ネット３に対して、第１の方向である左右方向に対をなし、かつ、第２の方向である上下方向に離れて複数配置されている。すなわち、本実施の形態の取付板４は、ネット３の左右の縁部に取り付けられている。取付板４は、本実施の形態において、例えば四角形状に形成されている。また、例えば本実施の形態の取付板４は、図１（ａ）および図１（ｂ）に示すように、ネット３を厚み方向である前後方向に挟む一対のブラケット体15a，15bにより構成され、これらブラケット体15a，15bがネット３の側縁部を挟んだ状態でボルト等の締結部材16により互いに締結固定されることでネット３の側縁部に取り付けられ、ネット３の側縁部から外方に一部が突出している。本実施の形態の取付板４の場合、ブラケット体15aがネット３の側縁部から外方に突出し、ブラケット体15bはネット３に重ねられて位置している。さらに、取付板４には、取付孔18が形成されている。取付孔18は、相対的に開口径（開口幅）が大きく締結具12の頭部12bが通過可能な大開口部18aと相対的に開口径（開口幅）が小さく締結具12の頭部12bが通過不可能な小開口部18bとが第２の方向である上下方向に連接する、いわゆるだるま穴状に形成されている。取付孔18は、取付板４において、ネット３に対して外方に突出する部分に形成されている。したがって、取付孔18は、ネット３の外側方に位置している。本実施の形態において、取付孔18はブラケット体15aに形成されている。なお、取付板４は、図２（ａ）および図２（ｂ）に示すように、例えば支持フレーム７の端部においては、支持フレーム７に固定されていてもよい。そのため、取付板４には、支持フレーム７に取付板４を固定するための固定用の穴部19が形成されていてもよい。本実施の形態において、穴部19はブラケット体15aにて取付孔18を第２の方向である上下方向に挟む位置に形成されている。穴部19には、例えばボルト等の固定体20が挿入され、この固定体20が支持フレーム７の固定用ねじ穴に螺合されて固定されることにより、取付板４が支持フレーム７に固定されるようになっている。
【００２２】
また、シート構造体５は、図３および図４に示す中間プレート21を有していてもよい。中間プレート21は、ネット３を保形し、枠体２に対してネット３が浮き上がったり、ネット３が歪んだりすることを抑制するものである。本実施の形態において、中間プレート21は、支持フレーム７に対してネット３の側縁部が浮き上がることを抑制する。中間プレート21は、ネット３よりも硬質の金属等の部材により長尺に形成されている。また、中間プレート21は、例えば断面コ字状又はＣ字状に形成され、ネット３の左右の縁部を挟むように、この縁部に沿って長手状に配置されている。さらに、中間プレート21は、ネット３に対して、対をなす取付板４の上下方向間に配置される。中間プレート21は、上下の取付板４の少なくともいずれか一方、本実施の形態では両方に対して間隔G1をおいて配置される。このため、中間プレート21の長手方向の一端部または両端部には、その近傍に位置する取付板４との間に間隔G1が形成されている。また、中間プレート21は、例えばネット３の側縁部に対して中間固定手段22により固定されていてもよい。中間固定手段22は、例えば結束バンド、あるいは針金等の手作業によりネット３の側縁部に中間プレート21を固定するものが用いられる。中間固定手段22は、ネット３とともに中間プレート21に巻き付けられて、ネット３に対して中間プレート21を固定している。
【００２３】
さらに、シート構造体５は、保形部材である端部プレート23を備えていてもよい。端部プレート23は、ネット３を保形し、枠体２に対してネット３が浮き上がったり、ネット３が歪んだりすることを抑制するものである。端部プレート23は、支持フレーム７に対してネット３の端部が浮き上がることを抑制する。端部プレート23は、ネット３よりも硬質の金属等の部材により長尺に形成されている。また、端部プレート23は、中間プレート21と同様に、例えば断面コ字状又はＣ字状に形成され、ネット３の端部を挟むように、この端部に沿って長手状に配置されている。さらに、端部プレート23は、本実施の形態において、ネット３の下端部に沿って長手状に配置されている。本実施の形態の端部プレート23は、ネット３の下端部の左右両側部に位置する取付板４，４に対して両端部が間隔G2を置くように配置される。また、端部プレート23は、例えばネット３に対して端部固定手段24により固定されていてもよい。端部固定手段24は、例えば結束バンド、あるいは針金等の手作業によりネット３の下端部に端部プレート23を固定するものが用いられる。端部固定手段24は、ネット３とともに端部プレート23に巻き付けられて、ネット３に対して端部プレート23を固定している。また、端部固定手段24は、本実施の形態において、端部プレート23の長手方向である左右方向の複数箇所で端部プレート23をネット３に固定している。
【００２４】
次に、第１の実施の形態の作用を説明する。
【００２５】
安全柵１を設置する際には、まず、設置面FLに対して枠体２を設置する。この枠体２は、安全柵１の専用のものである場合には、新たに設置するが、例えば既設の安全柵から金網等を取り外したもの等である場合には、新たに設置する必要はない。枠体２には、支持フレーム７に締結具12を取り付けておいてもよい。
【００２６】
次いで、シート構造体５を準備する。シート構造体５は、枠体２の大きさや形状に応じて予め所定の大きさや形状に裁断したネット３に対して、第１の方向である左右方向に対をなし、かつ、第１の方向に対して交差する第２の方向である上下方向に離れる位置に、取付板４を複数配置する。取付板４は、図５（ａ）および図５（ｂ）に示すように、ブラケット体15a，15bによりネット３を前後に挟み、これらブラケット体15a，15bを締結部材16等によって互いに固定することで、ネット３に取り付けられる。本実施の形態において、この取付板４は、例えばネット３の側縁部の上端部および下端部に配置するとともに、これら上端部と下端部との間に等間隔にそれぞれ配置する。
【００２７】
また、シート構造体５は、ネット３に対して、左右方向に対をなす取付板４，４の第２の方向である上下方向間に、中間プレート21を、少なくともいずれかの取付板４に対して間隔G1をおくように配置する。この中間プレート21は、図６に示すように、中間固定手段22によりネット３に対して固定する。さらに、シート構造体５は、ネット３に対して、下端部の左右方向に対をなす取付板４，４間に、端部プレート23を、左右の取付板４，４に対してそれぞれ間隔G2をおくように配置する。この端部プレート23も、中間プレート21と同様に、端部固定手段24によってネット３に対して固定する。
【００２８】
そして、設置されている枠体２の支持フレーム７に対して、シート構造体５の取付板４を取り付ける。具体的に、例えば図２（ａ）および図２（ｂ）に示すように、シート構造体５のうち、最上部に位置する取付板４を、固定体20によって支持フレーム７に固定する。この状態で、ネット３の上端部は、上部の接続フレーム８に沿って位置するので、作業員は例えば固定手段14によりネット３の上端部を接続フレーム８に固定することができる。次いで、シート構造体５のネット３を枠体２の前側に沿って垂らすと、中間プレート21が支持フレーム７に沿って位置し、端部プレート23が下部の接続フレーム８に沿って位置する。そして、各取付板４の取付孔18の大開口部18aに対して、予め工具等により螺合を緩めておいた締結具12を通過させる。このとき、取付板４と中間プレート21との間に間隔G1が空いていることにより、この間隔G1の位置でネット３を変形させることができるので、取付板４を第２の方向に沿って上方向に容易にスライドさせ、大開口部18aに締結具12を容易に通過させることができる。この後、取付板４の取付孔18に対して、締結具12の軸部12aを大開口部18aから小開口部18bへと移動させるように取付板４をスライドさせる。そして、締結具12を工具等により締め付けて、各取付板４を締結具12によって支持フレーム７に締結することで、ネット３が開口部10を覆った状態でシート構造体５が枠体２に保持され、安全柵１として使用可能となる。なお、取付板４は、締結具12を取付孔18に通過させたものから順次、支持フレーム７に締結する等の任意の順番で作業を行ってもよい。
【００２９】
ネット３により覆われた開口部10を開く際には、例えばすべての締結具12を、または締結具12を一つずつ等の任意の順番で、工具等により緩めた状態で、下側に位置する取付板４から順次、図７（ａ）に示すように、取付板４を上方へとスライドさせ、締結具12を取付孔18の小開口部18bから大開口部18aへと相対的に移動させる。このとき、取付板４と中間プレート21との間に間隔G1が空いていることにより、この間隔G1の位置でネット３を変形させることができるので、取付板４を第２の方向に沿って上方向に容易にスライドさせることができる。そして、締結具12の頭部12bを大開口部18aに通過させて取付板４の位置でネット３を支持フレーム７から容易に取り外すことができる。取付板４は、下端部に位置するものから必要な高さに位置するものまで、支持フレーム７から順次取り外す。さらに、図７（ｂ）の想像線に示すように、作業員はネット３の下端部側を持ち上げて各間隔G1の位置で上方に巻き上げつつ折り畳むことで、省スペースでの作業が可能で、枠体２の開口部10を必要な大きさだけ開くことができる。このように、上記の安全柵１は、シート構造体５を枠体２に対して、容易に着脱できる構成である。
【００３０】
開いた開口部10からは、作業員が出入りしたり、資材を搬入・搬出したりすることが可能になる。そして、開口部10の利用後は、巻き上げたシート構造体５のネット３を解いて再びネット３により開口部10を覆い、各取付板４の取付孔18の大開口部18aに締結具12を挿通して取付板４をスライドさせ、締結具12を工具等により締め付けることで、シート構造体５を元通りに枠体２に取付保持できる。
【００３１】
このように、第１の実施の形態によれば、変形可能なネット３に対し、取付板４を、所定の方向である上下方向に離れて複数設けたシート構造体５を準備し、支持フレーム７の延在する方向に沿って、取付板４をそれぞれが間隔を空けた状態に締結具12によって支持フレーム７に取り付ける。このため、取付板４と締結具12とによって、シート構造体５を枠体２に容易に着脱可能となる。
【００３２】
さらに、例えば、基本的に変形しない金網の外縁部を鋼板で囲んだ上下一対のネットをコイル状鋼線で２つ折り可能に連結し、各ネットを、鋼板に設けた係止プレートの位置で、縦フレームおよび横フレームに対して蝶ボルトにより締結固定する構成があるものの、この構成では、作業員が出入りしたり、資材を搬入したりする際の開口部を形成するために、上下いずれかのネットを固定する蝶ボルトを全て取り外す必要があり、開口部の形成作業が煩雑であるとともに、開口部を形成する際のネットを旋回させる角度を大きく確保する必要があり、開放時に通路の邪魔になり、また、設備が隣接している場合には設置が困難である。これに対して、本実施の形態の安全柵１は、ネット３は変形可能なので折り畳みながら取り外すことができ、周囲に大きな空間を確保する必要がなく、省スペースでの着脱作業が可能である。
【００３３】
また、例えば変形可能なネットをフレームに対して針金や結束バンド等で固定するものもあるが、この構成の場合、ネットに開口部を形成する際に、針金を解いたり、結束バンドを切断したりする必要があり、開口部の形成作業が容易とは言えず、また、針金や結束バンドを紛失しないように管理する必要がある。これに対して、本実施の形態の安全柵１は、ネット３と支持フレーム７との接合・解除は締結具12の締緩操作だけで行なわれるため、結束バンドや針金等のように、解いたり切断したりする必要がなく、部品が紛失しにくい。
【００３４】
特に、本実施の形態では、取付板４を左右方向に対をなしてネット３に取り付け、左右方向に対をなす支持フレーム７に締結具12によってそれぞれ取り付けるので、ネット３を安定的に枠体２に取り付けることができる。
【００３５】
さらに、シート構造体５は、上下方向に隣り合う取付板４，４の間に、一方または両方の取付板４に対して間隔G1をおいてネット３に中間プレート21を配置することで、ネット３の側縁部が支持フレーム７すなわち枠体２に対して浮き上がったり歪んだりすることを防止できる。
【００３６】
シート構造体５が、対をなす支持フレーム７，７それぞれに対応する取付板４と中間プレート21とを有し、所定の方向に隣り合う取付板４，４と中間プレート21との間隔G1の位置でネット３を所定の方向に対して交差する方向の回りに屈曲可能であるため、中間プレート21と取付板４との間の間隔G1を利用してシート構造体５のネット３を容易に折り畳むことができる。
【００３７】
枠体２は、対をなす支持フレーム７間を接続する接続フレーム８によって容易に補強できる。また、例えば上部に位置する接続フレーム８に対して、ネット３を固定手段14により固定することで、ネット３の上端部を枠体２に対して強固に取り付けでき、ネット３の上端部が接続フレーム８すなわち枠体２から浮き上がったり歪んだりすることを防止できる。
【００３８】
取付板４の取付孔18を、開口径が大きい大開口部18aと開口径が小さい小開口部18bとを第２の方向である上下方向に連接して有するだるま穴とし、取付孔18の大開口部18aに挿通可能で小開口部18bに係合される頭部12bを有する複数の締結具12を用いて取付板４を支持フレーム７に接続することで、簡素な構成で取付板４を支持フレーム７に対して容易に係脱できる。また、中間プレート21と取付板４との間の間隔G1を利用することで、他の取付板４の取付孔18に締結具12が挿通されていても、取付板４の可動領域が確保でき容易に取付板４を着脱することができる。
【００３９】
また、締結具12は、支持フレーム７のスリット13に配置することで、支持フレーム７が延在する方向に位置を容易に調整できる。
【００４０】
そして、設置した安全柵１のネット３の破損や劣化に伴う交換等、メンテナンスの際には、ネット３を取付板４、中間プレート21、および、端部プレート23等とともに枠体２から取り外し、取付板４、中間プレート21、および、端部プレート23をネット３から取り外した後、新たなネット３に対して取付板４、中間プレート21、および、端部プレート23を再度取り付けてシート構造体５を構成し、上記の取付方法を繰り返すことで、同様に容易に設置できる。このように、中間プレート21、取付板４がともに再利用可能であるため、シート構造体５のネット３の破損時等には、ネット３のみを交換することができる。
【００４１】
なお、上記各実施の形態において、枠体２の大きさは、安全柵１の用途や設置環境等に応じて、任意に設定できる。例えば図８に示す第２の実施の形態のように、支持フレーム７，７間の第１の方向である左右方向の幅が大きいものを用いてもよいし、図９に示す第３の実施の形態、あるいは図１０に示す第４の実施の形態のように、支持フレーム７の第２の方向である上下方向の長さ、すなわち高さが大きいものを用いてもよい。なお、第３および第４の実施の形態のように、枠体２の高さを大きくする場合には、上部寄りの位置に接続フレーム８によって桟部を形成して補強してもよい。
【００４２】
また、枠体２の大きさによって、例えばネット３の幅や高さ（長さ）が不足する場合には、複数のネット３を継ぎ足して自在に対応することができる。例えばネット３の高さ（長さ）が不足する場合には、第２および第４の実施の形態のように、上下に一部を重ね合わせて複数のネット３を配置し、図１１（ａ）に示すように、これらネット３を結束バンド、針金、あるいはステープラの針等の取付手段26によって連結して用いることができる。また、取付板４は、これらの連結部に位置する場合、図１１（ｂ）に示すように、複数のネット３の継ぎ目の位置を挟むようにブラケット体15a，15bを締結部材16によって共締めすることで、ネット３に対して容易に取り付けできる。同様に、例えばネット３の幅が不足する場合には、左右に一部を重ね合わせて複数のネット３を配置し、これらネット３を上記取付手段26等によって連結して用いることができる。例えば第２の実施の形態のように、第２の方向の大きさが互いに異なるネット３同士を第２の方向に連結してもよいし、第４の実施の形態のように、第２の方向の大きさが互いに等しいネット３同士を第２の方向に連結してもよい。端部プレート23は、それぞれのネット３の端部に取り付けられていてもよい。このように、安全柵１は、取付板４と締結具12とによって支持フレーム７に取り付ける簡素な構成であるため、多種多様な幅や高さに対応したネット３をそれぞれ用意することなく、１、２種類程度のネット３を継ぎ足して、異なる複数の幅や高さに容易に対応することができる。
【００４３】
さらに、締結具12は、工具により締緩するボルト等としたが、例えば作業員が手動によって締緩可能な蝶ボルトや、プッシュリベット等を用いてもよい。
【００４４】
また、取付板４を接続する接続部材としては、締結具12の他に、フックや磁石等を用いてもよい。
【００４５】
さらに、接続部材は、支持フレーム７から一部または全部が取り外されるように構成されていてもよい。
【００４６】
また、第１の方向を左右方向、第２の方向を上下方向としたが、例えば第１の方向を上下方向、第２の方向を左右方向等としてもよい。例えば、安全柵１を左右方向に長手状に形成する場合には、左右方向に延びる支持フレーム７に対してネット３の上端部を取付板４と締結具12とにより着脱可能とし、ネット３の下端部を自由端状に垂らすように構成してもよい。
【００４７】
さらに、中間プレート21は、所定の方向に隣り合う取付板４，４間全てに配置されているものに限らず、所定の方向に隣り合う取付板４，４間のうちの少なくともいずれかに配置されていればよい。例えば図１２に示す第５の実施の形態のように、上下方向に隣り合う取付板４，４間に中間プレート21の配置・非配置を上下方向に交互に設定するようにしてもよい。
【符号の説明】
【００４８】
１    安全柵
３    シート部材であるネット
４    取付部材である取付板
５    シート構造体
７    支持フレーム
12    接続部材である締結具
12b   頭部
18    取付孔
18a   大開口部
18b   小開口部
21    中間部材である中間プレート
【図１】
2019214901.tif 000003
【図２】
2019214901.tif 000004
【図３】
2019214901.tif 000005
【図４】
2019214901.tif 000006
【図５】
2019214901.tif 000007
【図６】
2019214901.tif 000008
【図７】
2019214901.tif 000009
【図８】
2019214901.tif 000010
【図９】
2019214901.tif 000011
【図１０】
2019214901.tif 000012
【図１１】
2019214901.tif 000013
【図１２】
2019214901.tif 000014